(57)【要約】【課題】組立式家屋を設置するための運搬可能な移動式組立基礎を提供する。【解決手段】組立式家屋を設置する移動式組立基礎３０は、組立式設置基体３１と、設置基体３１に設けられ、家屋の床面をなす床体３２とを有する。設置基体３１はコンクリート製であり、複数に分割された円弧状の分割基体３１０〜３１９を互いに結合してなる。組立式家屋の基部ＤＢは、設置基体３１に設けられた係合部３５に係合して、連結プレート３６により固定される。【選択図】  図６
2004211443.tif 000002
【特許請求の範囲】
【請求項１】
複数に分割された円弧状のコンクリート製の分割基体を互いに結合してなり、組立式家屋の基部が係合される係合部を有する設置基体と、
前記設置基体に設けられ、組立式家屋の床面をなす床体とを備え、
前記組立式家屋がその基部を前記係合部に係合して設置されることを特徴とする移動式組立基礎。
【請求項２】
請求項１の移動式組立基礎において、
前記複数の分割基体を連結板により互いに長手方向で連結するとともに、その連結板を、基礎上の組立式家屋を固定する部材として用いることを特徴とする移動式組立基礎。
【請求項３】
請求項１または２の移動式組立基礎と、
発泡スチロールを構成材とする複数のドーム片を前記移動式組立基礎に係止しつつ集合して内部に居住空間を形成する組立式発泡スチロールドームとを備えることを特徴とする組立式家屋。
【請求項４】
請求項３の組立式家屋において、
前記ドーム片の基部を断面Ｌ字状とし、前記移動式組立基礎の前記設置基体の外周部にＬ字状基部が係合される前記係合部を形成したことを特徴とする組立式家屋。
【請求項５】
複数に分割された分割基板を互いに略円環状に結合してなる設置基板と、
前記設置基板上に設けられ、組立式家屋の床面となる床体が設置されるとともに組立式家屋の基部が係合される架台と、
複数に分割された分割床体から成り、これら複数の分割床体を前記架台上で集合して形成される床体とを備え、
前記組立式家屋がその基部を係合されて設置されることを特徴とする移動式組立基礎。
【請求項６】
請求項５の移動式組立基礎において、
前記設置基板には基礎を地面に固定する固定部材が設けられることを特徴とする移動式組立基礎。
【請求項７】
請求項５または６の移動式組立基礎において、
前記架台に鋼材が分解可能に架け渡され、前記鋼材上に前記床体が分解可能に設けられることを特徴とする移動式組立基礎。
【請求項８】
請求項５〜７のいずれかの移動式組立基礎と、
発泡スチロールを構成材とする複数のドーム片を前記移動式組立基礎に係止しつつ集合して内部に居住空間を形成する組立式発泡スチロールドームとを備えることを特徴とする組立式家屋。
【請求項９】
請求項８の組立式家屋において、
前記ドーム片の基部を断面Ｌ字状とし、前記移動式組立基礎の架台と設置基板とによりＬ字状基部の係合部を形成したことを特徴とする組立式家屋。
【発明の詳細な説明】
【０００１】
【発明の属する技術分野】
本発明は、組立式の家屋を設置するための基礎であって複数に分割することによって移動可能に構成した移動式組立基礎およびその基礎上に組み立てられる組立式家屋に関する。
【０００２】
【発明の背景】
従来の屋外型宿泊施設としては木材を利用したバンガローが知られている。しかしながら、木材を利用したバンガローは建設費が高い上に、工期も数日必要である。テント型の宿泊施設もあるが、耐久性や見栄えの点で高級感がなく、設置場所が限定される。
【０００３】
かかる背景のもと、本発明者らは先に国際公開番号ＷＯ０１／４４５９３（特許文献１）の組立式ドームを提案した。この組立式ドームは、発泡スチロールを構成材とする複数のドーム片を集合し、内部に半球状の空間を形成している。これにより、短い期間で、かつ低コストで施工できる屋外宿泊施設、住居などを実現している。
【０００４】
【特許文献１】
国際公開番号ＷＯ０１／４４５９３
【０００５】
上記特許文献１には、かかるドームの床面に土間コンクリートを打設する旨開示されている。しかし、打設された土間コンクリートは運搬することが予定されているものではなかった。
【０００６】
本発明は、組立式家屋を設置するための運搬可能な移動式組立基礎および組立式家屋を提供する。
【０００７】
【課題を解決するための手段】
（１）請求項１の発明による移動式組立基礎は、複数に分割された円弧状のコンクリート製の分割基体を互いに結合してなり、組立式家屋の基部が係合される係合部を有する設置基体と、設置基体に設けられ、組立式家屋の床面をなす床体とを備え、組立式家屋がその基部を係合部に係合して設置されることを特徴とする。
（２）請求項２の発明は、請求項１の移動式組立基礎において、複数の分割基体を連結板により互いに長手方向で連結するとともに、その連結板を、基礎上の組立式家屋を固定する部材として用いることを特徴とする。
（３）請求項３の発明による組立式家屋は、請求項１または２の移動式組立基礎と、発泡スチロールを構成材とする複数のドーム片を移動式組立基礎に係止しつつ集合して内部に居住空間を形成する組立式発泡スチロールドームとを備えることを特徴とする。
（４）請求項４の発明は、請求項３の組立式家屋において、ドーム片の基部を断面Ｌ字状とし、移動式組立基礎の設置基体の外周部にＬ字状基部が係合される係合部を形成したことを特徴とする。
（５）請求項５の発明による移動式組立基礎は、複数に分割された分割基板を互いに略円環状に結合してなる設置基板と、設置基板上に設けられ、組立式家屋の床面となる床体が設置されるとともに組立式家屋の基部が係合される架台と、複数に分割された分割床体から成り、これら複数の分割床体を架台上で集合して形成される床体とを備え、組立式家屋がその基部を係合されて設置されることを特徴とする。
（６）請求項５の発明は、請求項５の移動式組立基礎において、設置基板には基礎を地面に固定する固定部材が設けられることを特徴とする。
（７）請求項７の発明は、請求項５または６の移動式組立基礎において、架台に鋼材が分解可能に架け渡され、鋼材上に床体が分解可能に設けられることを特徴とする。
（８）請求項８の発明による組立式家屋は、請求項５〜７のいずれかの移動式組立基礎と、発泡スチロールを構成材とする複数のドーム片を移動式組立基礎に係止しつつ集合して内部に居住空間を形成する組立式発泡スチロールドームとを備えることを特徴とする。
（９）請求項９の発明は、請求項８の組立式家屋において、ドーム片の基部を断面Ｌ字状とし、移動式組立基礎の架台と設置基板とによりＬ字状基部の係合部を形成したことを特徴とする。
【０００８】
【発明の実施の形態】
＜全体形状＞
本発明の移動式組立基礎について説明する前に、この移動式組立基礎を備えた組立式家屋である発泡スチロールドームの全体構成および施工方法について説明する。
【０００９】
図１は本発明による組立式家屋である組立式発泡スチロールドームの全体を示す立面図、図２は平面図である。組立式発泡スチロールドーム１００は、発泡スチロールを構成材とする複数のドーム片１０〜１９を集合して、内部に半球状の居住空間を形成したものである。図１において、ＷＤは所定のドーム片にあらかじめ設けられた窓部、ＰＴは所定のドーム片にあらかじめ設けられた玄関部である。組立式発泡スチロールドーム１００は、後述する移動式組立基礎３０上に組み立てられる。
【００１０】
複数のドーム片１０〜１９は、それぞれ図３に示すような形状をし、発泡倍率が１０〜５０倍で厚さ１０〜５０ｃｍの発泡スチロールから形成される。たとえば、積雪が最大で８０ｃｍ程度の場合には、発泡倍率２０倍、厚さ２０ｃｍの発泡スチロールからなるドーム片とすることができる。なお、同じ強度を得るためには、発泡倍率を大きくすれば厚みが厚くなる。また、積雪を考慮する必要がない地域では、発泡倍率を２０倍より大きくし、あるいは厚みを２０ｃｍ以下に薄くできる。反対に、積雪量が１ｍ以上の地域では、発泡倍率を２０倍以下に小さくして強度を担保するか、厚みを厚くする。各ドーム片１０〜１９にはＬ字状の基部ＤＢと、基部ＤＢから立ち上がる接合縁ＤＥ，ＤＤと、接合縁ＤＥ，ＤＤの先端の凹状頂部ＤＲとを有する。
【００１１】
このようなドーム片１０〜１９を、ドームの頂部においてドーム片１０〜１９の先端上部ＤＲを頂部ジョイント２２で互いに結合するとともに、複数のドーム片１０〜１９の各々の接合縁ＤＥとＤＤとを、隣接するドーム片と締結具２１で締結した上で接着することにより、ドームが組立てられる。Ｌ字状のドーム基部ＤＢは、後述するように移動式組立基礎３０に係合して固定される。
【００１２】
＜第１の実施の形態＞
図４〜図７に基づいて第１の実施の形態による移動式組立基礎を説明する。
図４は移動式組立基礎の斜視図、図５はその平面図、図６はその断面図である。移動式組立基礎３０は、全体形状が円環状であるコンクリート製の基体３１と、この基体３１上に家屋の床面をなす平面を形成する床体３２とを備えている。
【００１３】
基体３１は、図７に示すコンクリート製の複数の分割基体３１０〜３１９を互いに結合してなる。個々の分割基体３１０〜３１９は、それぞれ円弧形を有し、これらを長手方向に相互に結合することにより、基体３１の全体形状がほぼ円環形状となる。
【００１４】
図７において、分割基体３１０〜３１９の内周側には、床体３２を収容する段部３３０が全周にわたって形成されている。分割基体３１０〜３１９の外周側には、基体外方に向かって突出する上下突出部３４０Ａ，３４０Ｂが全周にわたって形成され、上下突出部３４０Ａ，３４０Ｂの間に係合部として利用される窪み３５０が形成されている。したがって、分割基体３１０〜３１９を集合してなる基体３１上部の内周側には段部３３が基体３１の全周にわたって形成され、上部の外周側には係止凹部３５が全周に形成される。
【００１５】
個々の分割基体３１０〜３１９の長手方向の一端面には位置決めのためのカップルガイドピン３６０が植設され、他端面にはカップルガイドピン孔（不図示）があけられている。隣接する分割基体同士を、カップルガイドピン３６０をカップルガイドピン孔に挿入することにより接合し、全体として円環状の基体３１が組み立てられる。その上で、分割基体３１０〜３１９の接合部の外周面を連結プレート３６を介して連結する。なお、図４に示す連結プレート３６は、分割基体同士を連結するほか、図６に示すように、組立式家屋を形成するドーム片１０〜１９をボルトＢＴにより基体３１に連結するためにも使用される。
【００１６】
なお、図７に示すように、分割基体の上面２箇所にはインサート３７０が埋め込まれ、吊下・施工用に用いられる。
【００１７】
分割基体３１０〜３１９を地面の上で相互に固定して円環状の基体３１が形成され、その内側に床体３２を次のようにして設ける。基体３１の内側に砕石３７１を所定深さまで充填する。その上にポリエチレンその他の樹脂フィルム３７２を敷く。更にその上にコンクリート３７３を基体３１の高さまで充填する。コンクリート３７３の表面を平面仕上げして床体３２が形成される。以上の工程により移動式組立基礎３０が完成する。
【００１８】
このように構成した移動式組立基礎３０上に、上記のドーム片１０〜１９を組み立てることにより、組立式家屋である発泡スチロールドームを設置する。すなわち、図６に示すように、ドーム片１０〜１９のＬ字状の基部ＤＢを窪み３５に嵌合して係合しつつ、ドーム片１０〜１９を接合してドーム状組立式家屋を組み立てる。ドーム片１０〜１９の基部ＤＢを連結プレート３６により基体３１に締結固定する。すなわち、ドーム片１０〜１９が基礎３１に連結プレート３６により係止される。組立ドームの外周面に、耐水性、防火性、耐候性などを目的としてコンクリートモルタル、樹脂などを被覆する。
【００１９】
この実施の形態では、コンクリート製の分割基体３１０〜３１９を連結プレート３６により基体３１として組み立て、基体３１に床体３２を設置するようにした。したがって、連結プレート３６によるボルト締結を解くことにより基体３１を簡単に分解することができる。換言すると、組立式ドームをどこへでも移動して組み立てること、すなわち移設することができる。また、ドーム片１０〜１９の基部ＤＢの係止部３５を基礎を構成する分割基体３１０〜３１９の外周面に一体に形成したので、基礎３０の構造を簡素化できる。さらに、分割基体３１０〜３１９を連結する連結プレート３６に基部ＤＢを固定するようにしたので、この点でも基礎の構成を簡素化できる。
【００２０】
上記第１の実施の形態において、基体３１の内側に形成する床体３２は、砕石３７１およびコンクリート３７３で形成せず、基体３１の内周側の段部３３に鋼板の根太を架け渡し、その上に床板を敷くようにしてもよい。鋼板の根太は、運搬性を考慮した長さとし、それぞれボルト締結して分解可能とするとともに、床体も運搬性を考慮した大きさとし、それぞれ根太にボルト締結して分解可能とすることが好ましい。こうすれば、連結プレート３６によるボルト締結を解くことにより基体３１も分解できるから、基礎３０の分解性が向上し、簡単に移設することができる。
【００２１】
＜第２の実施の形態＞
図８〜図１１により第２の実施の形態を説明する。図８は移動式組立基礎４０の斜視図、図９はその平面図、図１０（ａ）は図９のＢ−Ｂ線断面図である。
【００２２】
この移動式組立基礎４０は鋼板製であり、設置基板４１と、設置基板４１に固定される架台４２と、互いに向き合った設置基板４１の架台４２に掛け渡される３本の根太４３と、根太４３上に掛け渡される内側桟４４と、各分割設置基板４１０〜４１９の架台４２に掛け渡される外周桟４６と、桟４４，４６上に配設される円形状の床体４５とを備えている。
【００２３】
設置基板４１は、複数に分割された台形状の分割基板４１０〜４１９を互いに結合してなり、図１０（ｂ）に示すように、その外周縁には地面に固定する固定金具４１Ａが設けられている。分割基板４１０〜４１９の長手方向両端部には、Ｌ字状のアングル板４１Ｂが溶接されている。分割基板４１０〜４１９は、アングル板４１Ｂを介して長手方向にボルト連結することによって、全体として多角環状の設置基板４１を形成することができる。
【００２４】
分割基板４１０〜４１９のそれぞれには、長手方向に沿って３つの架台４２が所定間隔でかつ、床体４５の外周形状に沿って設置されている。図１０（ａ）に示すように、個々の架台４２は、分割基板４１０〜４１９のそれぞれの上面に溶接されている断面Ｃ字形を有するチャンネル板４２２と、このチャンネル板４２２にボルト締結されている断面Ｌ字形を有するアングル板４２１とで構成されている。アングル板４２１は、後述するように、ドーム片１０〜１９の基部ＤＢの係合部ＫＧとしても機能する。Ｃ字型鋼板４２２はＬ字型鋼板４２１を支持するとともに根太４３を設置する台を形成している。Ｌ字型鋼板４２１は垂直面をＣ字型鋼板４２２にボルト等で支持され、水平面が外周側に向かって延設されている。
【００２５】
架台４２のＣ字型鋼板４２２の上面には、図９にも示すように、鋼材からなる３本の根太４３が平行に架け渡される。根太４３の上面の高さは、Ｌ字型鋼材４２１の上面の高さと等しくなっている。根太４３の上には、断面Ｃ字型のチャンネル板（内周桟）４４が根太４３上に直行して架け渡される。また、隣接する３個の架台４２間にも、Ｌ字型鋼材４２１の上面に断面Ｃ字状のチャンネル板（外周桟）４６が架け渡されている。
【００２６】
図９に破線で示す円形状の床体４５は、図１１に示すように、複数に分割された分割床平面板４５１、４５２…５０４を有し、これら複数の分割平面板を集合して設置基板上に家屋の床平面を設定する。具体的には、複数の分割床平面板４５１、４５２…５０４は上記チャンネル板４４，４６の上に設置固定される。
【００２７】
組立式移動基礎の組立手順は次のとおりである。地面に固定アンカーボルトＡＢ（図１０（ｂ））を埋設し、このアンカーボルトＡＢを分割設置基板４１０〜４１９の固定金具４１Ａにそれぞれ連結する。各分割設置基板４１０〜４１９を連結プレート４１Ｂにより互いにボルト連結する。架台４２のチャンネル板４２２の上に根太４３を設置して固定する。根太４３は、好ましくは、分解性を考慮して架台４２にボルト締結する。根太４３の上に直交して多数の桟４４を所定間隔で平行に設置して固定する。さらに、水平板４２１の上面にも桟４６を掛け渡す。桟４４，４６は、好ましくは、分解性を考慮して根太４３や水平面４２１にボルト締結する。桟４４，４６上に複数の分割平板である分割床平面板４５１、４５２…５０４をそれぞれ設置して固定する。分割床平面板４５１、４５２…５０４は、好ましくは、分解性を考慮して桟４４，４６にボルト締結する
【００２８】
このようにして構成した移動式組立基礎４０に、上記のドーム片１０〜１９を組み立てることにより、組立式家屋である発泡スチロールドームが設置される。
すなわち、図１０（ａ）に示すように、ドーム片１０〜１９のＬ字状の基部ＤＢを係合部ＫＧに係合しつつ、ドーム片１０〜１９を接合してドーム状組立式家屋を組み立てる。ドーム片１０〜１９の基部ＤＢを図示しない固定具により設置基板４１に締結固定（係止）する。組立ドームの外周面に、耐水性、防火性、耐候性などを目的としてコンクリートモルタル、樹脂などを被覆する。
【００２９】
このように鋼板製の移動式組立基礎を地面上に組み立てて設置するようにしたので、組立手順と逆の手順で分解することができ、組立式ドームをどこへでも移動して組み立てること、すなわち移設することができる。
【００３０】
上記ドーム片１０〜１９は、ここでは１０個のパーツからなるものとして説明したが、これに限らず、数個から数十個のパーツからなるものとしてもよい。また、全体として半球状になるものとして説明したが、完全な半球の場合（平面形状が円の場合）に限らず、平面形状が多角形となっても良い。また、多角形の個々の辺に丸みを持たせる等により幾何学上の厳密な意味では「円」でも「多角形」でもないという場合でも、ここで言う「半球状」に該当する。また、発泡スチロール製の組立式家屋について説明したが、移動式組立基礎上で組み立てる家屋の素材は問わない。組立移動式を満足すれば、基礎の材質もコンクリート、鋼板以外のものを使用できる。
【００３１】
【発明の効果】
以上説明したように、本発明によれば、組立式家屋を設置するための基礎を移動組立式にしたので、移設することが可能である。分解式なので運搬性もよい。
また、この基礎上に設置される家屋も組立式であるから、全体として運搬移設が可能となる。
【図面の簡単な説明】
【図１】本発明による基礎上に組み立てられる組立式発泡スチロールドームの立面図
【図２】図１の組立式発泡スチロールドームの平面図
【図３】図１の組立式発泡スチロールドームのドーム片を示す斜視図
【図４】第１の実施の形態による移動式組立基礎の斜視図
【図５】図４の移動式組立基礎の平面図
【図６】図５の断面図
【図７】図５の分割基体の斜視図
【図８】第２の実施の形態による移動式組立基礎の斜視図
【図９】図８の移動式組立基礎の平面図
【図１０】（ａ）は図９のＢ−Ｂ線断面図、（ｂ）は連結部の斜視図
【図１１】床体の平面図
【符号の説明】
１００：組立式家屋              １０〜１９：ドーム片
ＤＢ：基部                          ３０：移動式組立基礎
３１：設置基体                      ３２：床体
３３：段部                          ３５：係止凹部
３６：連結プレート        ３１０〜３１９：分割基体
３３０：分割段部              ３４０Ａ，Ｂ：上下突出部
３５０：分割窪み                      ４０：移動式組立基礎
４１：設置基板                      ４２：架台
４３：根太                          ４５：床体
４１０〜４１９：分割基板            ４５１〜５０４：分割床平面体
ＫＧ：係合部
【図１】
2004211443.tif 000003
【図２】
2004211443.tif 000004
【図３】
2004211443.tif 000005
【図４】
2004211443.tif 000006
【図５】
2004211443.tif 000007
【図６】
2004211443.tif 000008
【図７】
2004211443.tif 000009
【図８】
2004211443.tif 000010
【図９】
2004211443.tif 000011
【図１０】
2004211443.tif 000012
【図１１】
2004211443.tif 000013